(57)【特許請求の範囲】
【請求項１】
火薬収納用耐水性紙筒容器において、該紙筒容器の外側を耐水性樹脂でコーティングした外筒、天蓋及び底蓋がポリエチレンラミネート紙を少なくとも１層有する構造であり、外筒の内側に水中で天蓋及び底蓋を補強する内筒を有し、天蓋と外筒及び底蓋と外筒の固定部分の外部窪みに耐水性樹脂をコーキングした構造である火薬収納用耐水性紙筒容器。
【請求項２】
コーティング部分が天蓋の内面と外筒及び底蓋の内面と外筒の接合部を起点として外筒側に２０ｍｍ以上あることを特徴とする請求項１記載の火薬収納用耐水性紙筒容器。
【請求項３】
コーティング部分が天蓋と外筒及び底蓋と外筒の接合部を起点として天蓋及び底蓋側に２０ｍｍ以上であることを特徴とする請求項１又は２記載の火薬収納用耐水性紙筒容器。
【請求項４】
天蓋と外筒及び底蓋と外筒の接合部を起点として天蓋及び底蓋側に２０ｍｍ以上コーティングする場合のコーティング部分がコーキング部の上からコーティングした構造であることを特徴とする請求項３記載の火薬収納用耐水性紙筒容器。
【発明の詳細な説明】
【０００１】
【発明の属する技術分野】
本発明は、火薬収納用耐水性紙筒容器に関するものである。
【０００２】
【従来の技術】
火薬類を収納する容器として従来より金属缶、樹脂缶、紙筒容器が使われている。金属缶は耐久性、内容物の保護性も良く、特に発射装薬の容器としては良く使われている。発射装薬がコスト的に安価な場合、金属缶とのコストバランスのため樹脂缶がよく用いられている。しかし、樹脂缶は使用後の廃棄処理の問題があり、廃棄処理が容易な紙筒容器を適用する要求が強く出てきた。その為、耐水性が不要な場合又は指定のない場合には、紙筒容器が使われるようになった。これらの紙筒容器は外筒、天蓋及び底蓋よりなる簡単なもので、外部圧力がかかる場合は、内筒が使われることもある。又、紙筒容器の吸湿性の問題からポリエチレンラミネ−ト紙が使わわれることがあった。また外筒と天蓋又は底蓋とを接着する場合は、水溶性酢酸ビニル樹脂タイプが一般的に使用されている。
【０００３】
【発明が解決しようとする課題】
しかし、廃棄処理が容易な紙筒容器は、耐水性要求が強い条件の場合、天蓋又は蓋と外筒との接着部分から水が漏れ、内容物を濡らしてしまう問題が発生し、例えば、ＭＩＬ−ＳＴＤ−８１０（浸水試験）が適用されるものなどには紙筒容器は使うことができなかった。
【０００４】
【課題を解決するための手段】
本発明は以下のとおりである。
１．火薬収納用耐水性紙筒容器において、該紙筒容器の外側を耐水性樹脂でコーティングした外筒、天蓋及び底蓋がポリエチレンラミネート紙を少なくとも１層有する構造であり、外筒の内側に水中で天蓋及び底蓋を補強する内筒を有し、天蓋と外筒及び底蓋と外筒の固定部分の外部窪みに耐水性樹脂をコーキングした構造である火薬収納用耐水性紙筒容器。
２．コーティング部分が天蓋の内面と外筒及び底蓋の内面と外筒の接合部を起点として外筒側に２０ｍｍ以上あることを特徴とする請求項１記載の火薬収納用耐水性紙筒容器。
３．コーティング部分が天蓋と外筒及び底蓋と外筒の接合部を起点として天蓋及び底蓋側に２０ｍｍ以上であることを特徴とする請求項１又は２記載の火薬収納用耐水性紙筒容器。
４．天蓋と外筒及び底蓋と外筒の接合部を起点として天蓋及び底蓋側に２０ｍｍ以上コーティングする場合のコーティング部分がコーキング部の上からコーティングした構造であることを特徴とする請求項３記載の火薬収納用耐水性紙筒容器。
【０００５】
以下、本発明を詳細に説明する。
本発明において固定部分とは、図１においてＡで示される部分である、天蓋と外筒及び底蓋と外筒の接合箇所並びに該接合箇所が固定されるように外筒が折り込まれている箇所を含む周辺をいう。
本発明において耐水性樹脂で保護されるとは、耐水性樹脂の保護膜ができていることをいう。本発明においては耐水性樹脂の保護膜ができていればよく、流動性のある耐水性樹脂で保護膜を作る。例えば、耐水性樹脂のエマルジョン、耐水性塗料、耐水性樹脂等で保護膜を作る。中でも耐水性樹脂のエマルジョン等によるコ−ティングが製造上使いやすいことから好ましい。好ましくは水透過性が低い塩化ビニリデン樹脂系のコ−ティングがよい。コ−ティング部分は、図２に示すように天蓋の内面と外筒及び底蓋の内面と外筒の接合部を起点として外筒側に２０ｍｍ以上が好ましい。また、天蓋と外筒及び底蓋と外筒の接合部を起点として天蓋及び底蓋側に２０ｍｍ以上が好ましい。２０ｍｍ未満であると未塗布部分よりの浸透水が接合部を弱くするため好ましくない。最も好ましいのは全面コ−ティングすることである。
【０００６】
また、耐水性樹脂のエマルジョン、耐水性塗料、耐水性樹脂等の粘度が低いものは天蓋、底蓋と外筒の固定部分の外部窪みの部分に保護膜を作りにくいことから、耐水性の信頼性を増すために天蓋、底蓋と外筒の固定部分の外部窪みの保護として、耐水性樹脂でコ−キングするのが好ましい。この場合は、コ−キングする耐水性樹脂はコ−ティング剤と材質が異なってもよく、好ましくはコ−キング材としてシリコン樹脂が用いられる。
【０００７】
また、耐水性として水中下での要求がある場合、水圧がかかるので天蓋、底蓋と外筒の固定部分が外れることがある。その為、水圧がかかる条件の場合は、内筒で天蓋、底蓋を補強するのが好ましい。内筒、天蓋及び底蓋の厚みは、水圧条件により選定する。
更には、上記の保護より更に水が侵入する場合の保護として、紙筒を作る際の接着剤として、耐水性接着剤で接着することが好ましい。耐水性が悪い条件では、耐水性接着剤を使わない場合は、紙に浸透した水分で、紙筒を作る際の接着剤が若干溶けだし、蓋が固着して開けられない現象が発生する。そのような場合は、外筒と天蓋、底蓋及び内筒と天蓋、底蓋の接着部が先に劣化するので、溶剤系の接着剤のように環境上の措置が必要になるような制限があるばあいは、外筒と天蓋、底蓋及び内筒と天蓋、底蓋の接着にのみ適用してもよい。例えば、接着剤は酢酸ビニル系溶剤タイプ等の非水溶性接着剤が用いられる。
【０００８】
ポリエチレンラミネ−ト紙としては、ポリエチレンと紙又は紙、ポリエチレン、紙の構成より成るポリエチレンラミネ−ト紙等が使用できる。ポリエチレンラミネ−ト紙は少なくとも外筒、天蓋及び底蓋の１層に用いられる。特に好ましいのは、全層がポリエチレンラミネ−ト紙の場合である。
【０００９】
【発明の実施の形態】
次に、実施例に基づいて本発明を詳細に説明する。
【００１０】
実施例１〜２、参考例１〜４、比較例１〜３
外筒として内側より紙管用原紙３４０ｇ／ｍ２２層、ポリサンド紙（未晒クラフト５０ｇ／ｍ２、ポリエチレン１５μｍ、未晒クラフト５０ｇ／ｍ２の貼り合わせ）１００ｇ／ｍ２２層を用いた（全体厚み約１．３ｍｍ）。天蓋、底蓋は、内側より紙管用原紙６５０ｇ／ｍ２２層、ポリサンド紙１００ｇ／ｍ２２層を使用した（全体厚み約３．５ｍｍ）。
【００１１】
内筒として、内側よりＮＲＫライナ−（段ボ−ルケ−ス外装用原紙）２２０ｇ／ｍ2 １層、紙管用原紙６５０ｇ／ｍ2 １層、ＮＲＫライナ−２２０ｇ／ｍ2 １層、ＮＲＫライナ−２８０ｇ／ｍ2 １層を使用した（全体厚み約１．８ｍｍ）。
これらの紙筒を接着する際、耐水性のある接着剤として酢酸ビニル系アルコ−ル溶剤タイプ（コニシＫＥ−６０；接着剤１）、水溶性の接着剤としてアクリル−スチィレンブロックコポリマ水分散型（コニシＣＺ−１２５；接着剤２）を用いた。耐水性接着剤による接着箇所は外筒と天蓋、底蓋及び内筒と天蓋、底蓋とした（図２参照）。
【００１２】
コーティング剤としては、塩化ビニリデンエマルジョン（サランラテックス４０７  旭化成工業（株）製  商品名）を使用し、接合部を起点にして３０ｍｍコーティングした（図２参照）。コーキング剤としては、シリコン樹脂（ボンドシリコンコーク  コニシ（株）製  商品名）を使用した。評価としては、散水試験（シャワー散水×２４時間）及び浸水試験（水深１ｍ×２時間）を実施した。各組合せの条件と評価方法を実施例１〜２、参考例１〜４、比較例１〜３として表１に示した。
【００１３】
【表１】
0003710521.tif 000002
【００１４】
【発明の効果】
本発明の紙筒により簡易で耐水性が高く、かつ使用後の処理が容易な紙筒を提供することが可能になった。
【図面の簡単な説明】
【図１】本発明の火薬収納用耐水性紙筒容器の一例の断面図である。
【図２】天蓋、底蓋と外筒の固定部分の拡大断面説明図である。
【符号の説明】
１  外筒
２  内筒
３  天蓋
４  底蓋
５  コーキング
６  耐水性樹脂の保護膜
７  耐水性接着剤接着箇所
Ａ  固定部分
【図１】
0003710521.tif 000003
【図２】
0003710521.tif 000004